(57)【特許請求の範囲】
【請求項１】
レバーハンドルの湯側への回転角度を次第に増加させることにより、次第に高温の湯が吐出されるように構成してなるシングルレバー式水栓において、最高温度の湯が吐出される全開回転角度の手前の回転角度で前記レバーハンドルの回転を停止させる回転規制用のストッパー部材が、前記レバーハンドルとともに回転される回転軸を内装するカートリッジケースの上面に設置される座金から突出され、前記回転軸上面の立上片と当接可能なストッパー部で構成されていることを特徴とするシングルレバー式水栓。
【発明の詳細な説明】
【０００１】
【産業上の利用分野】
この発明は、シングルレバー式水栓に関するものである。
【０００２】
【従来の技術及びその課題】
従来、シングルレバー式水栓では、レバーハンドルを湯側へ回転操作することにより吐出口から湯が吐出され、レバーハンドルの湯側への回転角度を次第に増加させてゆくことにより、次第に高温の湯が吐出口より吐出されるように構成されており、湯側へレバーハンドルを全開した際には吐出口から熱湯が吐出されていたが、使用者の要望で高温の湯を吐出させたくない場合もあり、使用時の調節が面倒となるという問題点があった。
【０００３】
【課題を解決するための手段】
本発明は上記従来の問題点に鑑み案出したものであって、高温の湯の吐出を良好に防ぐことのできるシングルレバー式水栓を提供せんことを目的とし、その要旨は、レバーハンドルの湯側への回転角度を次第に増加させることにより、次第に高温の湯が吐出されるように構成してなるシングルレバー式水栓において、最高温度の湯が吐出される全開回転角度の手前の回転角度で前記レバーハンドルの回転を停止させる回転規制用のストッパー部材が、前記レバーハンドルとともに回転される回転軸を内装するカートリッジケースの上面に設置される座金から突出され、前記回転軸上面の立上片と当接可能なストッパー部で構成されていることである。
【０００４】
【実施例】
以下、本発明の実施例を図面に基づいて説明する。
図１は、シングルレバー式水栓の一例を示す断面構成図であり、シングルレバー式水栓１は、本体部２から吐出管３が突設されており、また、本体部２内には、カートリッジケース４が、外側にケース押さえ５を外嵌させ、さらに上面に座金６を当接させた状態で、小ネジ７を縦方向に本体部２に螺合させて、本体部２内にカートリッジケース４が固定されており、カートリッジケース４内の底側には固定ディスク８が固定状に配設され、その上面に摺動可能に可動ディスク９が配設され、さらにその上面側にディスクキャップ１０が配設され、さらにその上面側に回転軸１１が配設され、この回転軸１１に対し上方より作用軸１３が係合されて、作用軸１３はピン軸１２を中心として前後に揺動できるように構成され、この作用軸１３の上端にレバーハンドル１４が取り付けられたものとなっている。
【０００５】
本例では、図２に示すように、前記座金６にストッパー部１６を設けたものであり、座金６は前記カートリッジケース４の上面に配置されて、小ネジ７を締め付けることによりカートリッジケース４を押圧固定できるリング部６ａを備えており、この座金６のリング部６ａの上面にストッパー部１６を溶接等により取り付けておくことができ、このストッパー部１６は、リング部６ａの上面に固定される固定片１６ａと、固定片１６ａより立ち上がった立片１６ｂと、立片１６ｂから水平にリング部６ａの内側へ延びる水平片１６ｃと、水平片１６ｃの内端で上方へ折り曲げられた当接片１６ｄで構成されており、この座金６のリング部６ａ内には図３の平面図で示すように、カートリッジケース４の上端部とその内側で回転する回転軸１１が配設されるものであり、リング部６ａよりも上方へ突出して前記回転軸１１の立上片１１ｂが立ち上がり、さらにその上方へ作用軸１３の上端が立ち上がるものであり、前記ストッパー部１６の前記立片１６ｂにより水平片１６ｃは図３においてカートリッジケース４の上方側で水平に内側へ突出することとなり、ストッパー部１６の内端の当接片１６ｄは回転軸１１の立上片１１ｂに相当する高さ位置に配置させることができる。
【０００６】
この図３で示す状態から、図４に示すように、レバーハンドル１４を湯側へ回転させると、作用軸１３及び回転軸１１が湯側へ回転されて、回転軸１１の立上片１１ｂの側面が前記ストッパー部１６の当接片１６ｄに当接するまで回転されることとなり、この図４の立上片１１ｂがストッパー部１６に当接する角度は約３０度に設定されている。即ち、レバーハンドル１４を約３０度湯側へ回転させると、ストッパー部１６の当接片１６ｄに回転軸１１の立上片１１ｂが当接して回転が止められるものであり、湯側への全開状態の手前でレバーハンドル１４の回転が規制されて、吐出管３から熱湯が吐出されることを良好に防ぐ構成となっている。
【０００７】
一方、レバーハンドル１４を水側へ回転させる時には、図５に示すように、水側へは４５度の角度いっぱいまで回転させて全開状態とさせることができ、この時にはストッパー部１６は何ら回転軸１１には当接せず、回転軸１１の外周のストッパー突片が前記カートリッジケース４の水側ストッパーリブに当接して、４５度の回転角度で回転が停止されるものである。
【０００８】
このように、既存の座金６の上面にストッパー部１６を固定状に設けるだけの構成で、良好に湯側へレバーハンドル１４が全開状態まで回転されるのを防ぎ、全開状態の手前でストッパー部１６に回転軸１１を当接させて回転を止めることができるものとなり、座金６にストッパー部１６を固定させるのみの簡単な構成により、既存のものに後付けが可能で、しかも低コストで安全構造のシングルレバー式水栓とすることができる。
なお、図６に示すように、座金６にストッパー部１６，１６を対向状に２個固設して、２個のストッパー部１６，１６に回転軸１１を当接させて、より確実に湯側への全開状態の手前でレバーハンドル１４の回転が規制されるように構成することもできる。
【０００９】
次に、図７では、シングルレバー式水栓１の本体部２内へ湯を供給する給湯管１７、及び本体部２内へ水を供給する給水管１８のそれぞれの逆止弁１９，１９の上流側にそれぞれ定流量弁２０，２０を設置したものであり、この定流量弁２０は圧力変動があってもその変動を良好に調整できる機能を有し、特に、給湯管１７側に定流量弁２０を設置しておけば、圧力変動により吐出管３から高温の湯が吐出するのを良好に防ぐことができるものとなり、前記実施例に示したレバーハンドルの回転規制構造と併用してこのような定流量弁２０を設置することにより、より確実に吐出管３から高温の湯が吐出されることを防ぐことができるシングルレバー式水栓となる。
【００１０】
【発明の効果】
本発明は、レバーハンドルの湯側への回転角度を次第に増加させることにより、次第に高温の湯が吐出されるように構成してなるシングルレバー式水栓において、最高温度の湯が吐出される全開回転角度の手前の回転角度で前記レバーハンドルの回転を停止させる回転規制用のストッパー部材が、前記レバーハンドルとともに回転される回転軸を内装するカートリッジケースの上面に設置される座金から突出され、前記回転軸上面の立上片と当接可能なストッパー部で構成されていることにより、レバーハンドルを湯側へ回転操作してもストッパー部材により全開の手前側でレバーハンドルの回転が止められるため、吐出管から高温の湯が吐出されることがなく、安全性の高いシングルレバー式水栓となる効果を有する。
また、既存の座金にストッパー部を設ければ良く、ストッパー部を設けた座金の変更のみで全て既存の部材を使用することができ、既存のシングルレバー式水栓に低コストで後付けができ、良好に高温の湯の吐出を防ぐことができる効果を有する。
【図面の簡単な説明】
【図１】  シングルレバー式水栓の一例を示す断面構成図である。
【図２】  座金の斜視図である。
【図３】  座金を取り付けた水栓の平面構成図である。
【図４】  図３の状態からレバーハンドルを湯側へ回転させた時にストッパー部に回転軸が当接した状態で回転が規制された状態の平面構成図である。
【図５】  水側へレバーハンドルを回転させた時の平面構成図である。
【図６】  座金に２個のストッパー部を設けた水栓の平面構成図である。
【図７】  給湯管に定流量弁を設置した概略構成図である。
【符号の説明】
１  シングルレバー式水栓
２  本体部
３  吐出管
４  カートリッジケース
４Ａ  湯側ストッパーリブ
６  座金
８  固定ディスク
９  可動ディスク
１０  ディスクキャップ
１１  回転軸
１１ｂ  立上片
１３  作用軸
１４  レバーハンドル
１６  ストッパー部
１６ａ  固定片
１６ｂ  立片
１６ｃ  水平片
１６ｄ  当接片
１７  給湯管
１９  逆止弁
２０  定流量弁
【図１】
0003674221.tif 000002
【図２】
0003674221.tif 000003
【図３】
0003674221.tif 000004
【図４】
0003674221.tif 000005
【図５】
0003674221.tif 000006
【図６】
0003674221.tif 000007
【図７】
0003674221.tif 000008